(57)【要約】【課題】二種を分離した状態で保管し、直前に混合して使用する如く構成した二種混合容器であって、収納物の漏れや流出が全くなく、従って、開封前に両者が混合してしまう等の不都合を確実に防止でき、また、混合する際の操作も簡単な二種混合容器を提案する。【解決手段】第１容器Ａにその口頸部２上端開口を閉塞して第２容器Ｂを螺着してなり、前記第２容器に環状の薄肉破断線26を設けるとともに、第１容器と第２容器との間に第２容器の螺脱方向の回動を防止するラチェット機構を介在させ、第２容器の螺脱の際にラチェット機構の作用で薄肉破断線が破断して第２容器内の収納物が第１容器内に落下する如く構成した。【選択図】図１
2006044686.tif 000002
【特許請求の範囲】
【請求項１】
口頸部２を起立した第１容器Ａと、前記口頸部上端開口を閉塞して螺着した第２容器Ｂとを備え、前記第２容器に環状の薄肉破断線26を設けるとともに、前記第１容器と前記第２容器との間に前記第２容器の螺脱方向の回動を防止するラチェット機構を介在させ、且つ、前記第２容器の螺脱に際して前記ラチェット機構の作用で前記破断線が破断して前記第２容器の収納物が前記第１容器内に落下する如く構成したことを特徴とする二種混合容器。
【請求項２】
前記第２容器Ｂを前記第１容器Ａの上端に嵌着した連結用の筒部材Ｃを介して螺着してなり、該筒部材Ｃは、前記口頸部２外周に装着筒５を嵌着するとともに、前記口頸部２内周に下部を嵌合して上方に起立する主筒６の内周下部に前記ラチェット機構を構成する第１歯群ａを支持してなり、前記第２容器Ｂは、主筒６外周に装着筒20を螺着させるとともに、主筒６内に垂下させた筒状の本体部24外周に前記第１歯群ａと歯合する第２歯群ｂを設け、且つ、該第２歯群を包含する本体部24下端部を分離可能な位置に前記薄肉破断線26を設けてなる請求項１記載の二種混合容器。
【請求項３】
前記第２容器Ｂの装着筒20に破断部21を周設して下端部に分離帯20a を画成するとともに、該分離帯20a を前記主筒６に対して抜け出しを防止して強制係合させてなる請求項２記載の二種混合容器。
【請求項４】
前記筒部材Ｃの装着筒５に破断部９を周設して下端部に分離帯5aを画成するとともに、該分離帯5aを前記口頸部２に対して抜け出しを防止して強制係合させてなる請求項３記載の二種混合容器。
【請求項５】
前記第２容器Ｂの外面にガスバリアー性を備えたインモールドラベル28を付設してなる請求項１乃至請求項４のいずれかに記載の二種混合容器。
【発明の詳細な説明】
【技術分野】
【０００１】
本発明は二種混合容器に関する。
【背景技術】
【０００２】
液体，粉体，粒体等のうち二種類を選択してそれらを隔離した状態で収納し、また、使用の際には簡単に混合することができる二種混合容器が提案されている（特許文献１参照）。
【０００３】
上端に口頸部を有しかつ口頸部乃至その下方近傍の内側に突片突当手段を講じた第１容器と、倒立させかつ口部を口頸部へ挿入して口頸部に取り外し可能に装着した第２容器と、該第２容器の口部に取り外し可能に嵌合させるとともに、上記突片突当手段へ係合させる突片を設けた栓体とからなり、第１容器には液等の第１内容物を、第２容器には粉体等の第２内容物を収容し、この状態で第２容器を取り外せば第２容器の口部が液体容器の口頸部から引き抜かれるのに対し、栓体は突片が第１容器の突片突当手段に係合しているため動かず、栓体が外れて、第２内容物が第１内容物に混合される。
【特許文献１】特開平７−３００１６２号公報
【発明の開示】
【発明が解決しようとする課題】
【０００４】
この様な二種混合容器は、その第２容器が下方に開口した口部を栓体により閉塞しているため、即ち、取り外しを条件としてセットした部分があることで、ここからの漏れや流出が可能性として存在することは否めない。
【０００５】
本発明は上記した点に鑑みてなされたもので、収納物の漏れや流出の可能性を全く無くし、しかも、混合する際も簡単な操作で容易に混合することができ、更に、構造が比較的単純で廉価に製造できる二種混合容器を提案するものである。
【課題を解決するための手段】
【０００６】
第１の手段として、口頸部２を起立した第１容器Ａと、前記口頸部上端開口を閉塞して螺着した第２容器Ｂとを備え、前記第２容器に環状の薄肉破断線26を設けるとともに、前記第１容器と前記第２容器との間に前記第２容器の螺脱方向の回動を防止するラチエツト機構を介在させ、且つ、前記第２容器の螺脱に際して前記ラチエツト機構の作用で前記破断線が破断して前記第２容器の収納物が前記第１容器内に落下する如く構成した。
【０００７】
第２の手段として、前記第１の手段に於いて、前記第２容器Ｂを前記第１容器Ａの上端に嵌着した連結用の筒部材Ｃを介して螺着してなり、該筒部材Ｃは、前記口頸部２外周に装着筒５を嵌着するとともに、前記口頸部２内周に下部を嵌合して上方に起立する主筒６の内周下部に前記ラチエツト機構を構成する第１歯群ａを支持してなり、前記第２容器Ｂは、主筒６外周に装着筒20を螺着させるとともに、主筒６内に垂下させた筒状の本体部24外周に前記第１歯群ａと歯合する第２歯群ｂを設け、且つ、該第２歯群を包含する本体部24下端部を分離可能な位置に前記薄肉破断線26を設けた。
【０００８】
第３の手段として、前記第２の手段に於いて、前記第２容器Ｂの装着筒20に破断部21を周設して下端部に分離帯20a を画成するとともに、該分離帯20a を前記主筒６に対して抜け出しを防止して強制係合させた。
【０００９】
第４の手段として、前記第３の手段に於いて、前記筒部材Ｃの装着筒５に破断部９を周設して下端部に分離帯5aを画成するとともに、該分離帯5aを前記口頸部２に対して抜け出しを防止して強制係合させた。
【００１０】
第５の手段として、前記第１の手段乃至第４の手段に於いて、前記第２容器Ｂの外面にガスバリアー性を備えたインモールドラベル28を付設した。
【発明の効果】
【００１１】
本発明の二種混合容器は、第２容器Ｂの螺脱に際してラチエツト機構の作用で薄肉破断線26が破断して第２容器Ｂの内容物が第１容器内に落下する如く構成したので、その開封は極めて簡単であり、また、収納室を形成する本体部に取り外しを条件としてセットする部分がないため、漏れや流出の可能性を殆ど無視でき、しかも、構造は比較的簡単で、合成樹脂により容易に且つ安価に製造できる利点がある。
【００１２】
また、第２の手段では、ボトルタイプの第１容器には形成し難い第１歯群ａを別体として簡単に形成でき、また、その装着は螺着するだけの簡単な操作で行える利点を兼ね備える。
【００１３】
また、第３の手段では、破断部21を破断しない限り第２容器Ｂの螺脱ができないため不用意な第２容器Ｂの破断がなく、不用意な各収納物の混合を防止できる。また、一見して容器の未使用を表現でき、商品の信頼性を向上し、その価値を向上する等の効果を発揮する。
【００１４】
また、第４の手段では、筒部材Ｃを口頸部２に螺着するという簡単な操作で装着できるにも拘わらず前記第３の手段の効果を発揮できる利点がある。
【００１５】
また、第５の手段では、第２容器Ｂの材質に拘わらず収納物の吸湿，酸化などの劣化を防止でき、良好な品質維持機能を付与することができ、特に空気等に影響の大きい粉末，顆粒等の固体を収納するのに好適である。
【発明を実施するための最良の形態】
【００１６】
以下、本発明の実施例の形態を図面を参照して説明する。
【００１７】
図１は本発明二種混合容器１の一例を示し、該容器１は、第１容器Ａと、第２容器Ｂとを備えている。
【００１８】
第１容器Ａは、胴部より口頸部２を起立しており、口頸部２の外周には螺条３を周設し、その下方に係止突条４を突周設している。胴部内には混合するための液体或いは粉末、顆粒等の固体状の収納物を収納する第１収納室R1として構成している。
【００１９】
第２容器Ｂは、前記口頸部２内に挿入するとともに、前記口頸部上端開口を閉塞して螺着したもので、図示例では、連絡用の筒部材Ｃを介して第１容器Ａに装着している。
【００２０】
連絡用の筒部材Ｃは、前記口頸部２外周に装着筒５を嵌合するとともに、口頸部２内周に下端部を液密に嵌合して上方に起立する主筒６の外周に螺条７を周設し、その内周下部にラチエツト機構を構成する第１歯群ａを支持している。
【００２１】
図示例では、口頸部２外周の螺条３と螺合した螺条８を内面に周設した装着筒５を口頸部２外周に螺着し、また、装着筒５の下部には破断部９を周設して分離帯5aを画成しており、分離帯5aの内周下端部に周方向複数突設した斜め上方を向く係合突片10を前記係止突条４下面に乗り越え係合させ、抜け出しの防止を図っている。前記破断部９は装着筒５を螺脱しようとした際に、前記抜け出し防止手段により係止された分離帯5aを分離できる程度の連結強度を備えていれば良く、図示例では、分離帯5aとその他の装着筒５とを、周方向複数位置に於いて、細棒状の連結片11により連結した形態を採っている。また、装着筒５下面から所定側を垂直縁に形成した逆台形状突起12を垂設するとともに、分離帯5aの上面から前記逆台形状突起12の垂直縁と対応する垂直縁を有する台形状突起13を隣接して立設している。これら各突起の存在により螺着方向に回動する際には各連結片11に負荷が係り難く、螺脱方向に回動する際に各連結片11に負荷が係る如く構成している。
【００２２】
また、装着筒５の上端縁より内方へ延設したフランジ14を介して、下部を口頸部２内周に密嵌させて上方へ起立した前記主筒６を立設している。主筒６の外周には前記螺条７を周設し、その下方には口頸部２と同様に係止突条15を突周設している。また、主筒６内面下端部に周方向複数の連結板16を突設し、各連結板16を介して二重筒状に固定筒17を支持し、その内面に前記第１歯群ａを形成している。第１歯群ａを構成する多数の単位歯18は皆所定の同じ方向に同じ傾斜で傾いた状態をなしている。
【００２３】
第２容器Ｂは、前記口頸部上端開口を閉塞して螺着している。図示例では、前記主筒６外周の螺条７と螺合させた螺条19を内面に周設した装着筒20を螺着し、また、装着筒20の下部には破断部21を周設して分離帯20a を画成しており、同様に係合突片22を係止突条15下面に乗り越え係合させて抜け出しの防止を図っている。また、装着筒20の上端縁より延設した頂壁23の裏面から、内部に第２収納物を収納する第２収納室R2を画成した有底筒状の本体部24を垂設している。頂壁23は、別体に構成し、周縁部を嵌着，融着等の固定手段により気密に固定している。また、本体部24内には開封時に収納物の攪拌を行う棒状突起25を立設しており、この棒状突起25の存在により第２収納室R2中の収納物が落下して第１収納室内の収納物と混合する際に攪拌されてより速やかな両者の混合が行われる。尚、この棒状突起は図５の例に示す如く設けなくとも所期の目的は達成できる。
【００２４】
第２容器Ｂは環状の薄肉破断線26を設けている。この薄肉破断線26は第２容器Ｂの螺脱に際して破断して第２容器Ｂ内の収納物が第１容器Ａ内に落下する如く構成している。この薄肉破断線26は本体部24の底壁24a の周縁部に周設しているが、ここに限られず、破断した際に第２容器Ｂ内の収納物が落下可能な位置であれば良い。
【００２５】
また、薄肉破断線26の内方の本体部底壁24a 裏面から垂設した作動筒27の外面に、前記第１歯群ａに歯合する第２歯群ｂを周設しており、両者で第２容器Ｂの螺脱方向の回動を既設する前記ラチェッ ト機構を構成している。第２歯群ｂを構成する各単位歯18も同様に所定方向に同じ傾斜で傾いた状態をなしている。第２容器Ｂを螺着させる際には、第２歯群ｂが第１歯群ａを乗り越えて回動し、螺着が可能であり、第２容器Ｂを螺脱させる際には第２歯群ｂが第１歯群ａと係合するラチエツト機構の作用で相互の回動が不能に構成している。
【００２６】
また、第２容器Ｂの外面にはインモールドラベル28が貼着されている。インモールドラベルは、例えば、インモールドコーティング等の公知方法により形成したもので、ガスバリアー性を備え、容器本体の上面，周面及び下面を略被覆する状態で固定している。
【００２７】
上記の如く構成した二種混合容器は、例えば、第１容器Ａ及び第２容器Ｂにそれぞれ液体，固体の収納物を収納し、使用時に混合して使用する。使用に当たっては、図１の状態から第２容器Ｂの装着筒20を螺脱方向へ回転させると破断部21が破断し螺動上昇する。この際、本体部24及び作動筒27も同様に螺脱方向に回動しようとするが、ラチエツト機構が作動して作動筒27は回動せずに本体部24のみが回動しようとする結果、薄肉破断線26に剪断力が働き破断し、図３に示す如く、第２容器Ｂの第２収納室内の収納物が第１容器Ａの第１収納室内に落下し、第１収納室内の収納物と混合する。この際、分離された底壁24a 及び棒状突起25は固定筒17に係止されてそのままの状態を維持しているが、第１容器Ａ内に落下する如く構成しても良い。
【００２８】
次いで、要すれば混合物を攪拌した後、筒部材Ｃの装着筒５を螺脱方向に回動させると、破断部９が破断して、図４に示す如く、第２容器Ｂと筒部材Ｃとを第１容器Ａから取り外すことができ、混合した収納物を取り出すことができる。
【図面の簡単な説明】
【００２９】
【図１】本発明の一部切欠側面図である。（実施例１）
【図２】本発明のラチエツト機構の部分の要部斜視図である。（実施例１）
【図３】本発明の作用を説明する一部切欠側面図である。（実施例１）
【図４】本発明の作用を説明する一部切欠側面図である。（実施例１）
【図５】本発明の一部切欠側面図である。（実施例２）
【符号の説明】
【００３０】
２…口頸部，５…装着筒，5a…分離帯，６…主筒，９…破断部，20…装着筒，20a …分離帯，21…破断部，24…本体部，26…薄肉破断線，28…インモールドラベル，Ａ…第１容器，Ｂ…第２容器，Ｃ…連結用の筒部材，ａ…第１歯群，ｂ…第２歯群
【図１】
2006044686.tif 000003
【図２】
2006044686.tif 000004
【図３】
2006044686.tif 000005
【図４】
2006044686.tif 000006
【図５】
2006044686.tif 000007